(57)【特許請求の範囲】
【請求項１】
１以上の情報処理装置と接続した画像形成装置であって、
原稿を読み取り可能なスキャナ部と、
前記スキャナ部で読み取った第１原稿データを表示可能なタッチパネル部であって前記第１原稿データの特定領域を選択可能なタッチパネル部と、
前記タッチパネル部において選択された前記第１原稿データの前記特定領域を読取可能にマスキング処理した第２原稿データを生成するマスキング処理部と、
前記マスキング処理部によって生成された前記第２原稿データに対して、前記第２原稿データにおけるマスキング処理した領域を読取可能にする管理権限を付与する管理権限付与部と、
前記管理権限付与部によって前記管理権限が付与された前記第２原稿データの送信先の情報処理装置を選択する送信先選択部と、
前記送信先選択部によって選択された情報処理装置に対して前記管理権限が付与された前記第２原稿データを送信する送信部と、
を備える画像形成装置。
【請求項２】
前記マスキング処理部は、前記第１原稿データの前記特定領域を読取可能および編集可能にマスキング処理した第２原稿データを生成し、
前記管理権限付与部によって付与される前記管理権限は、前記マスキング処理部によって生成された前記第２原稿データに対して、前記第２原稿データにおけるマスキング処理した領域を読取可能および編集不可能にする第１管理権限と前記第２原稿データにおけるマスキング処理した領域を読取可能および編集可能にする第２管理権限とを含み、
前記送信先選択部は、前記管理権限付与部によって前記第１管理権限または前記第２管理権限が付与された前記第２原稿データの送信先の情報処理装置を選択し、
前記送信部は、前記送信先選択部によって選択された情報処理装置に対して前記第１管理権限または前記第２管理権限が付与された前記第２原稿データを送信する請求項１に記載の画像形成装置。
【請求項３】
前記タッチパネル部は、前記第１原稿データのページごとに特定領域を選択可能である請求項１または２に記載の画像形成装置。
【発明の詳細な説明】
【技術分野】
【０００１】
本発明は、スキャナで読み取った原稿データに管理権限を付与する画像形成装置に関する。
【背景技術】
【０００２】
情報処理装置と接続する画像形成装置であってスキャナ部を備える画像形成装置は、当該スキャナ部で原稿を読み取ると、その原稿データを接続先の情報処理装置に送信するように構成されている。なお、その原稿データの内容によっては、原稿データの一部を秘匿したい場合がある。この場合、その原稿データにおける秘匿したい特定の領域にマスキング処理を施したうえでマスキング処理後の原稿データを情報処理装置に送信していた。
【０００３】
また、原稿データにおいてマスキング処理を施した特定領域については、所定期間が経過すれば秘匿する必要がなくなる場合があった。しかし、従来の画像形成装置において一度マスキング処理を施すと、情報処理装置においてはそのマスキング処理された部分を閲覧することができないため、ユーザにとって不都合が生じていた。
【０００４】
そこで、原稿データにおける特定領域に有効期限付きのマスキング処理を行う画像形成装置が開発されている（例えば、特許文献１参照。）。
【先行技術文献】
【特許文献】
【０００５】
【特許文献１】特開２００７−０７４２９５号公報
【発明の概要】
【発明が解決しようとする課題】
【０００６】
さらに、マスキング処理を施した特定領域を含む原稿データに対して当該特定領域を読取可能な管理権限を付与し、その原稿データを特定の情報処理装置に送信したい場合がある。しかし、特許文献１等の従来の画像形成装置では、この課題を解決できなかった。
【０００７】
そこで本発明の目的は、上記課題に鑑み、マスキング処理を施した特定領域を含む原稿データに対して当該特定領域を読取可能な管理権限を付与し、その原稿データを特定の情報処理装置に送信することができる画像形成装置を提供することにある。
【課題を解決するための手段】
【０００８】
本発明の画像形成装置は、１以上の情報処理装置と接続しており、スキャナ部、タッチパネル部、マスキング処理部、管理権限付与部、送信先選択部および送信部を備える。
【０００９】
スキャナ部は、原稿を読み取り可能な構成をしている。タッチパネル部は、スキャナ部で読み取った第１原稿データを表示可能であり、第１原稿データの特定領域を選択可能である。マスキング処理部は、タッチパネル部において選択された第１原稿データの特定領域を読取可能にマスキング処理した第２原稿データを生成する。管理権限付与部は、マスキング処理部によって生成された第２原稿データに対して、第２原稿データにおけるマスキング処理した領域を読取可能にする管理権限を付与する。送信先選択部は、管理権限付与部によって管理権限が付与された第２原稿データの送信先の情報処理装置を選択する。送信部は、送信先選択部によって選択された情報処理装置に対して管理権限が付与された第２原稿データを送信する。
【００１０】
この構成では、マスキング処理された領域に読取可能にする管理権限が付与された第２原稿データを特定の情報処理装置のみに送信できる。したがって、スキャナ部で原稿を読み取ったユーザの希望通りに当該管理権限が付与された第２原稿データの送信先を決定することができる。
【発明の効果】
【００１１】
本発明における画像形成装置は、マスキング処理を施した特定領域を含む原稿データに対して当該特定領域を読取可能な管理権限を付与し、その原稿データを特定の情報処理装置に送信することができる。
【図面の簡単な説明】
【００１２】
【図１】本発明の実施形態に係る画像形成装置の構成を示す図である。
【図２】本発明の実施形態に係る画像形成装置の本発明に関する構成と、当該画像形成装置と接続する情報処理装置を示す図である。
【図３】本発明の実施形態に係る画像形成装置の制御部の制御内容を示すフローチャートである。
【図４】本発明の実施形態に係る画像形成装置におけるスキャナ部で読み取った原稿データに管理権限を付与するか否かを決定する画面を示す図である。
【図５】本発明の実施形態に係る画像形成装置の制御部の制御内容の一部を示すフローチャートである。
【図６】本発明の実施形態に係る画像形成装置におけるスキャナ部で読み取った原稿データにマスキングを施す領域を決定する画面を示す図である。
【図７】本発明の実施形態に係る画像形成装置におけるスキャナ部で読み取った原稿データにマスキングを施す領域を決定する画面を示す図である。
【図８】本発明の実施形態に係る画像形成装置の制御部の制御内容の一部を示すフローチャートである。
【図９】本発明の実施形態に係る画像形成装置におけるスキャナ部で読み取った原稿データの送信先の情報処理装置を選択する画面を示す図である。
【図１０】本発明の実施形態に係る画像形成装置におけるスキャナ部で読み取った原稿データの送信先の情報処理装置を選択する画面を示す図である。
【図１１】本発明の実施形態に係る画像形成装置におけるスキャナ部で読み取った原稿データの送信先の情報処理装置を選択する画面を示す図である。
【図１２】本発明の実施形態に係る画像形成装置におけるスキャナ部で読み取った原稿データを送信する前の確認画面を示す図である。
【発明を実施するための形態】
【００１３】
以下、本発明の実施形態に係る搬送装置を、図面を参照しつつ詳細に説明する。
【００１４】
図１は、本発明の実施形態に係る画像形成装置の構成を示す図である。
【００１５】
画像形成装置１００は、外部から伝達された画像データに応じて、所定のシート（記録用紙）に対して多色または単色の画像を形成するものである。画像形成装置１００は、原稿処理装置１２０、給紙部８０、画像形成部１１０および排紙部９０から構成されている。
【００１６】
原稿処理装置１２０は、原稿載置台１２１、原稿搬送装置１２２およびスキャナ部１２３を有する。原稿載置台１２１は、透明ガラスからなり、原稿が載置可能な構成となっている。原稿搬送装置１２２は、原稿トレイに積載された原稿を１枚ずつ搬送する。また、原稿搬送装置１２２は、矢印１２４方向に回動自在に構成され、原稿載置台１２１の上を開放することにより原稿載置台１２１に原稿を置くことができるようになっている。スキャナ部１２３は、原稿搬送装置１２１で搬送中の原稿または原稿載置台１２２に載置された原稿を読み取る。
【００１７】
給紙部８０は、給紙カセット８１、手差し給紙カセット８２、ピックアップローラ８３およびピックアップローラ８４が設けられている。給紙カセット８１は、定形シートを蓄積しておくためのトレイである。手差し給紙カセット８２は、不定形シートを載置することができるトレイである。ピックアップローラ８３は、給紙カセット８１の端部近傍に備えられ、給紙カセット８１からシートを１枚ずつピックアップして用紙搬送路１０１に供給する。同様にピックアップローラ８４は、手差し給紙カセット８２の端部近傍に設けられ、手差し給紙カセット８２からシートを１枚ずつピックアップして用紙搬送路１０１に供給する。
【００１８】
画像形成部１１０は、画像形成ステーション３１，３２，３３，３４、露光ユニット３０、中間転写ベルトユニット５０および定着ユニット７０から構成されている。画像形成ステーション３１，３２，３３，３４は、それぞれ感光体ドラム１０、帯電器２０、現像器４０およびクリーナユニット６０が設けられており、ブラック（Ｋ）、シアン（Ｃ）、マゼンタ（Ｍ）およびイエロー（Ｙ）の各色を用いたカラー画像に応じたものである。本実施形態では、画像形成ステーション３１について説明する。
【００１９】
感光体ドラム１０は、画像形成時に回転し、現像剤像を担持するためのものである。感光体ドラム１０の周囲には、回転方向上流から帯電器２０、露光ユニット３０、現像器４０、中間転写ベルトユニット５０、クリーナユニット６０の順に配置されている。定着ユニット７０は、搬送路１０１上において画像形成部１１０の最も下流に位置する。
【００２０】
帯電器２０は、感光体ドラム１０の表面を所定の電位に均一に帯電させるための帯電手段であり、図１に示すようなチャージャ型の他、接触型のローラ型やブラシ型の帯電器が用いられることもある。
【００２１】
露光ユニット３０は、帯電された感光体ドラム１０を入力された画像データに応じて露光することにより、その表面に、画像データに応じた静電潜像を形成する機能を有する。露光ユニット３０は、レーザ射出部および反射ミラー等を備えたレーザスキャニングユニット（ＬＳＵ）として構成される。露光ユニット３０は、レーザビームを走査するポリゴンミラーと、ポリゴンミラーによって反射されたレーザ光を感光体ドラム１０に導くためのレンズやミラー等の光学要素が配置されている。露光ユニット３０としては、この他発光素子をアレイ状に並べた例えばＥＬやＬＥＤ書き込みヘッドを用いる手法も採用できる。
【００２２】
現像器４０は、感光体ドラム１０上に形成された静電潜像をトナーにより顕像化するものである。
【００２３】
中間転写ベルトユニット５０は、中間転写ベルト５１、中間転写ベルト駆動ローラ５２、中間転写ベルト従動ローラ５３、中間転写ローラ５４および中間転写ベルトクリーニングユニット５５を備えている。
【００２４】
中間転写ベルト駆動ローラ５２、中間転写ベルト従動ローラ５３および中間転写ローラ５４は、中間転写ベルト５１を張架して回転駆動させる。また、中間転写ローラ５４は、感光体ドラム１０のトナー像を、中間転写ベルト５１上に転写するための転写バイアスを与える。
【００２５】
中間転写ベルト５１は、感光体ドラム１０に接触するように設けられている。そして、感光体ドラム１０に形成されたトナー像を中間転写ベルト５１に転写することによって、中間転写ベルト５１上にトナー像を形成する機能を有している。中間転写ベルト５１は、例えば厚さ１００μｍ〜１５０μｍ程度のフィルムを用いて無端状に形成されている。
【００２６】
感光体ドラム１０から中間転写ベルト５１へのトナー像の転写は、中間転写ベルト５１の裏側に接触している中間転写ローラ５４によって行われる。中間転写ローラ５４には、トナー像を転写するために高電圧の転写バイアス（トナーの帯電極性（−）とは逆極性（＋）の高電圧）が印加されている。中間転写ローラ５４は、直径８ｍｍ〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト５１に対して均一に高電圧を印加することができる。本実施形態では転写電極としてローラ形状を使用しているが、それ以外にブラシなども用いることが可能である。
【００２７】
上述のように感光体ドラム１０上で顕像化された静電像は中間転写ベルト５１で積層される。このように積層された画像情報は、中間転写ベルト５１の回転によって、用紙と中間転写ベルト５１との接触位置に配置される転写ローラ５６によって用紙上に転写される。
【００２８】
このとき、中間転写ベルト５１と転写ローラ５６は所定ニップで圧接されるとともに、転写ローラ５６にはトナーを用紙に転写させるための電圧が印加される（トナーの帯電極性（−）とは逆極性（＋）の高電圧）。さらに、転写ローラ５６は上記ニップを定常的に得るために、転写ローラ５６もしくは中間転写ベルト駆動ローラ５２のいずれか一方を硬質材料（金属等）とし、他方を弾性ローラ等の軟質材料（弾性ゴムローラまたは発泡性樹脂ローラ等）としている。
【００２９】
また、上記のように、感光体ドラム１０に接触することにより中間転写ベルト５１に付着したトナーもしくは転写ローラ５６によって用紙上に転写が行われず中間転写ベルト５１上に残存したトナーは、中間転写ベルトクリーニングユニット５５によって除去・回収されるように設定されている。中間転写ベルトクリーニングユニット５５には、中間転写ベルト５１に接触する例えばクリーニング部材としてクリーニングブレードが備えられており、クリーニングブレードが接触する中間転写ベルト５１は、裏側から中間転写ベルト従動ローラ５３で支持されている。
【００３０】
クリーナユニット６０は、現像・画像転写後における感光体ドラム１０上の表面に残留したトナーを除去・回収する。
【００３１】
定着ユニット７０は、加熱ローラ７１および加圧ローラ７２を備えており、加熱ローラ７１および加圧ローラ７２は、シートを挟んで回転するようになっている。また加熱ローラ７１は、図示しない温度検出器からの信号に基づいて制御部によって所定の定着温度となるように設定されており、加圧ローラ７２とともにトナーをシートに熱圧着することにより、シートに転写されたトナー像を溶融・混合・圧接し、シートに対して熱定着させる機能を有している。また、加熱ローラ７１を外部から加熱するための外部加熱ベルト７３が設けられている。
【００３２】
排紙部９０は、排紙トレイ９１および排紙ローラ９２を有する。定着ユニット７０を通過した用紙は、排紙ローラ９２を経て排紙トレイ９１に排出される。排紙トレイ９１は、印刷済みのシートを集積するためのトレイである。
【００３３】
また、両面印字要求のときは、上記のように片面印字が終了し定着ユニット７０を通過したシートの後端が排紙ローラ９２で把持されたときに、排紙ローラ９２が逆回転することによってシートを搬送ローラ１０２，１０３に導く。そしてその後レジストローラ１０４を経てシート裏面に印字が行われた後にシートが排紙トレイ９１に排出される。
【００３４】
図２は、画像形成装置１００の本発明に係る構成および画像形成装置１００と情報処理装置２００Ａ〜２００Ｃとが接続している状態を示す図である。
【００３５】
画像形成装置１００は、スキャナ部１２３、タッチパネル部１３０、ネットワークインターフェース１４０および制御部１５０を備える。スキャナ部１２３は、前述したとおり、原稿を読み取り可能な構成をしている。タッチパネル部１３０は、スキャナ部１２３で読み取った原稿データ（以下、第１原稿データとする。）を表示可能な構成をしている。
【００３６】
ネットワークインターフェース１４０は、イーサネット（登録商標）、トークンリングおよびＦＤＤＩ等の規格により画像形成装置１００と情報処理装置２００Ａ〜２００Ｃとを接続する際に使用する。
【００３７】
制御部１５０は、ＣＰＵ１５１、ＲＯＭ１５２、ＲＡＭ１５３、マスキング処理部１５４、管理権限付与部１５５、送信先選択部１５６および送信部１５７から構成される。ＣＰＵ１５１は、ＲＯＭ１５２から制御プログラムを読み出し、各部を総括的に制御する。ＲＡＭ１５３は、ＣＰＵ１５１のワーキングエリアとして活用される。
【００３８】
マスキング処理部１５４は、タッチパネル部１３０において選択された特定領域をマスキング処理した原稿データ（以下、第２原稿データとする。）を生成する。管理権限付与部１５５は、マスキング処理部１５４によって生成された第２原稿データに対して、第２原稿データにおける特定領域を読取可能な管理権限を付与する。送信先選択部１５６は、管理権限付与部１５５によって管理権限が付与された第２原稿データ（以下、管理権限付第２原稿データとする。）の送信先の情報処理装置を選択する。送信部１５７は、送信先選択部１５６によって選択された情報処理装置に対して管理権限付第２原稿データを送信する。
【００３９】
なお、図２では、画像形成装置１００には情報処理装置２００Ａ〜２００Ｃがネットワークインターフェース１４０を介して接続されているが、情報処理装置の接続数は任意である。
【００４０】
図３は、制御部１５０の制御内容を示すフローチャートである。以下、本実施形態における制御部１５０の制御内容を、他の図を交えながら説明する。
【００４１】
制御部１５０は、スキャナ部１２３において原稿が読み取られるまで待機する（Ｓ１００のＮ）。制御部１５０は、スキャナ部１２３において原稿が読み取られたと判断すると（Ｓ１００のＹ）、第１原稿データに対して管理権限を付与するか否かの判断をする（Ｓ２００）。
【００４２】
このとき、タッチパネル部１３０には、図４に示すような表示画面３１０が表示される。ここで、ユーザがはいボタン３１１を選択すると、Ｓ３００の処理に移行する。これに対して、ユーザがいいえボタン３１２を選択すると、Ｓ２１０の処理に移行する。
【００４３】
以下、Ｓ２００においてはいボタン３１１が選択された場合の制御部１５０の制御内容を説明する。
【００４４】
制御部１５０は、Ｓ２００において管理権限を付与することが指示されたと判断すると（Ｓ２００のＹ）、マスキング領域が選択されるまで待機する（Ｓ３００のＮ）。
【００４５】
ここで、図５に示すように、Ｓ３００の処理内容を詳述する。制御部１５０は、マスキング処理すべきページが選択されるまで待機する（Ｓ３１０のＮ）。
【００４６】
このとき、タッチパネル部１３０には、図６に示すような表示画面３２０が表示される。表示画面３２０には、ページ選択欄３２１、プレビュー表示欄３２２、マスキングページリスト欄３２３、はいボタン３２４、いいえボタン３２５、戻るボタン３２６、設定リセットボタン３２７および設定完了ボタン３２８が表示される。
【００４７】
制御部１５０は、マスキング処理すべきページがページ選択欄３２１において選択されたと判断すると（Ｓ３１０のＹ）、その選択されたページがプレビュー表示欄３２２に表示される（Ｓ３２０）。そして、制御部１５０は、プレビュー表示欄３２２に表示された第１原稿データの選択されたページに対して、マスキング領域が選択されるまで待機する（Ｓ３３０のＮ）。制御部１５０は、当該ページに対してマスキング領域が選択されたと判断すると（Ｓ３３０のＹ）、当該マスキング領域の選択が当該マスキング領域を追加するものであるか、または削除するものであるかを判断する（Ｓ３４０）。
【００４８】
制御部１５０は、当該マスキング領域が当該ページに追加されるものであると判断すると（Ｓ３４０のＹ）、当該ページに対して当該マスキング領域を追加する（Ｓ３５０）。これに対して、制御部１５０は、当該マスキング領域が当該ページから削除されるものであると判断すると（Ｓ３４０のＮ）、当該ページから当該マスキング領域を削除する（Ｓ３６０）。そして、制御部１５０は、マスキング領域を編集することが選択されると（Ｓ３７０のＹ）、Ｓ３１０の処理に戻る。制御部１５０は、マスキング領域を編集しないことが選択されると（Ｓ３７０のＮ）、Ｓ４００の処理に移行する。
【００４９】
Ｓ３１０〜Ｓ３７０までの処理を、図７を用いて説明する。
【００５０】
ユーザがページ選択欄３２１にマスキング処理を施したい第１原稿データのページを入力すると、プレビュー表示欄３２２にそのページの内容がプレビュー表示される。そして、ユーザがプレビュー表示欄３２２に表示されたプレビュー表示に対して、マスキング処理を編集したい領域を指で選択する。
【００５１】
この状態において、ユーザがはいボタン３２４を選択すると、指で選択した領域にマスキング処理が施される。そして、マスキング処理が施されたページは、マスキングページリスト欄３２３に表示される。また、ユーザがいいえボタン３２５を選択すると、指で選択した領域におけるマスキング処理が削除される。そして、マスキング処理が削除されたページは、マスキングページリスト欄３２３から削除される。なお、同一ページに対して複数の領域にマスキング処理を施している場合に、複数の領域のうち一部の領域についてマスキング処理が削除されても、当該ページはマスキングページリスト欄３２３から削除されない。また、マスキング領域を編集したい場合は、ページ選択欄３２１に直接ページを入力してもよいし、マスキングページリスト欄３２３に表示されているページを選択してもよい。
【００５２】
戻るボタン３２６は、表示画面３２０で行った作業を一つだけ元に戻すためのボタンである。設定リセットボタン３２７は、表示画面３２０で行った作業を初期化し、図６の状態に戻すボタンである。設定完了ボタン３２８は、表示画面３２０で行った作業の完了を示すボタンであり、また、このボタンの選択は、制御フローにおけるＳ３７０のＮに相当する。
【００５３】
制御部１５０は、マスキング領域が選択されたと判断すると（Ｓ３００のＹ）、その選択された領域に対してマスキング処理を施す（Ｓ４００）。その後、制御部１５０は、第２原稿データに対して管理権限を付与する（Ｓ５００）。そして、制御部１５０は、管理権限付第２原稿データの送信先が選択されるまで待機する（Ｓ６００）。
【００５４】
ここで、図８に示すように、Ｓ６００の処理内容を詳述する。制御部１５０は、画像形成装置１００と接続している情報処理装置を表示する（Ｓ６１０）。
【００５５】
このとき、タッチパネル部１３０には、図９に示すような表示画面３３０が表示される。表示画面３３０には、情報処理装置リスト欄３３１、検索ボックス３３２、検索実行ボタン３３３、フルコントロールボックス３３４Ａ、選択領域変更不可ボックス３３４Ｂ、ゴミ箱アイコン３３５、戻るボタン３３６、設定リセットボタン３３７および設定完了ボタン３３８が表示される。フルコントロールボックス３３４Ａに表示された情報処理装置に対しては、マスキング処理が施された特定領域を読取可能および編集可能な管理権限が付与された第２原稿データが送信される。また、選択領域変更不可ボックス３３４Ｂに表示された情報処理装置に対しては、マスキング処理が施された特定領域を読取可能および編集不可能な管理権限が付与された第２原稿データが送信される。
【００５６】
なお、Ｓ６１０の段階で、タッチパネル部１３０において図９に示すような表示部３３０が表示されることを一例として挙げたが、これに限られるものではない。例えば、図１０に示すように、図９の表示部３３０に加えて選択領域読取不可ボックス３３４Ｃを表示させてもよい。
【００５７】
図９においては、フルコントロールボックス３３４Ａまたは選択領域変更不可ボックス３３４Ｂに表示された情報処理装置に対して、それぞれに対応する管理権限が付与された第２原稿データが送信され、両ボックスに表示されていない情報処理装置に対しては管理権限が付与されていない第２原稿データが送信される。
【００５８】
図１０においては、フルコントロールボックス３３４Ａまたは選択領域変更不可ボックス３３４Ｂに表示された情報処理装置に対して、それぞれに対応する管理権限が付与された第２原稿データが送信される点は図９と同様だが、選択領域読取不可ボックス３３４Ｃに表示された情報処理装置に対してのみ管理権限が付与されていない第２原稿データが送信され、いずれのボックスにも表示されていない情報処理装置に対しては第２原稿データを送信しない。
【００５９】
以下、図１０に示す表示にしたがって説明する。
【００６０】
制御部１５０は、情報処理装置リスト欄３３１、フルコントロールボックス３３４Ａ、選択領域変更不可ボックス３３４Ｂまたは選択領域読取不可ボックス３３４Ｃから管理権限付第２原稿データの送信先の情報処理装置が選択されるまで待機する（Ｓ６２０のＮ）。制御部１５０は、管理権限付第２原稿データの送信先の情報処理装置が選択されたと判断すると（Ｓ６２０のＹ）、当該情報処理装置が管理権限付第２原稿データの送信先として追加されるものか、または当該送信先から削除されるものかを判断する（Ｓ６３０）。
【００６１】
制御部１５０は、情報処理装置が当該送信先として追加されるものであると判断すると（Ｓ６３０のＹ）、当該情報処理装置を当該送信先として追加する（Ｓ６４０）。これに対して、制御部１５０は、情報処理装置が当該送信先から削除されるものであると判断すると（Ｓ６３０のＮ）、当該情報処理装置を当該送信先から削除する（Ｓ６５０）。その後、制御部１５０は、さらに当該送信先を編集するか否かを判断する（Ｓ６６０）。制御部１５０は、当該送信先を編集すると判断すると（Ｓ６６０のＹ）、Ｓ６２０の処理に戻る。制御部１５０は、当該送信先の編集を終了すると判断すると（Ｓ６６０のＮ）、Ｓ７００の処理に移行する。
【００６２】
Ｓ６１０〜Ｓ６６０までの処理を、図１１を用いて説明する。
【００６３】
Ｓ６１０において、制御部１５０は、画像形成装置１００と接続している情報処理装置を情報処理装置リスト欄３３１に表示する。そして、ユーザは、第２原稿データを送信したい情報処理装置を選択してフルコントロールボックス３３４Ａ、選択領域変更不可ボックス３３４Ｂまたは選択領域読取不可ボックス３３４Ｃに対してドラッグアンドドロップする。すると、ドラッグアンドドロップした先のボックスに、選択した情報処理装置が表示される。
【００６４】
なお、情報処理装置リスト欄３３１からドラッグアンドドロップできる情報処理装置は、グループ単位でも可能である（例えば、図１１のＣ部門。）。
【００６５】
また、情報処理装置は、フルコントロールボックス３３４Ａ、選択領域変更不可ボックス３３４Ｂおよび選択領域読取不可ボックス３３４Ｃのうちいずれか１つのボックスにしか表示させることができない。管理権限が重複することを防ぐためである。かりにいずれか１つのボックスに既に表示されている情報処理装置を、情報処理装置リスト欄３３１から別のボックスにドラッグアンドドロップした場合、新たにドラッグアンドドロップした先のボックスにその情報処理装置が表示され、既にボックスに表示されていた情報処理装置は削除される。
【００６６】
なお、画像形成装置１００と接続している情報処理装置が多くて情報処理装置リスト欄３３１から第２原稿データを送信したい情報処理装置を探すことが困難である場合には、検索ボックス３３２に送信したい情報処理装置の名称（ユーザの名称）を入力して検索実行ボタン３３３を選択することで、その情報処理装置を情報処理装置リスト欄３３１に表示させることができる。
【００６７】
また、第２原稿データを送信する情報処理装置の選択を誤った場合には、その情報処理装置が表示されているボックスからその情報処理装置を選択し、ゴミ箱アイコン３３５に対してドラッグアンドドロップすれば、そのボックスからその情報処理装置が削除される。
【００６８】
戻るボタン３３６は、表示画面３３０で行った作業を一つだけ元に戻すためのボタンである。設定リセットボタン３３７は、表示画面３３０で行った作業を初期化し、図１０の状態に戻すボタンである。設定完了ボタン３３８は、表示画面３３０で行った作業の完了を示すボタンであり、また、このボタンの選択は、制御フローにおけるＳ６６０のＮに相当する。
【００６９】
制御部１５０は、管理権限付第２原稿データおよび第２原稿データの送信先の情報処理装置が選択されたと判断すると（Ｓ６００のＹ）、これまでに行った設定の編集を行うか否かを判断する（Ｓ７００）。制御部１５０は、これまでに行った設定の編集を行うことが指示されたと判断すると（Ｓ７００のＹ）、Ｓ３００の処理に戻る。制御部１５０は、当該編集を行わないことが指示されたと判断すると（Ｓ７００のＮ）、これまでに行った設定に基づいて各情報処理装置に管理権限付第２原稿データまたは第２原稿データを送信する（Ｓ８００）。
【００７０】
Ｓ７００に対応する図が図１２である。Ｓ７００の内容を、図１２を用いて説明する。
【００７１】
Ｓ７００では、タッチパネル部１３０において設定確認画面３４０が表示される。設定確認画面３４０には、設定リスト欄３４１、設定編集ボタン３４２、設定削除ボタン３４３および設定完了ボタン３４４が表示されている。設定リスト欄３４１は、これまでに行った設定内容を表示する欄である。設定編集ボタン３４２は、ユーザによって選択されることで設定確認画面から図７の表示画面３２０へと移行させるためのボタンである。設定削除ボタン３４３は、設定リスト欄３４１に表示された情報処理装置を選択してからユーザによって選択されると、その情報処理装置に対する設定内容を削除する。設定完了ボタン３４４は、ユーザによって選択されることで、設定リスト欄３４１に表示された設定内容に基づいて、制御部１５０が送信処理を行う。
【００７２】
以上の制御フローにより、管理権限付第２原稿データを特定の情報処理装置のみに送信できる。したがって、スキャナ部１２３で原稿を読み取ったユーザの希望通りに管理権限付第２原稿データの送信先を決定することができる。
【００７３】
以下、Ｓ２００においていいえボタン３１２が選択された場合の制御部１５０の制御内容を説明する。
【００７４】
制御部１５０は、Ｓ２００において管理権限を付与しないことが指示されたと判断すると（Ｓ２００のＮ）、第１原稿データに対してマスキング処理を施すか否かを判断する（Ｓ２１０）。制御部１５０は、Ｓ２１０において第１原稿データに対してマスキング処理を施さないことが指示されたと判断すると（Ｓ２１０のＮ）、Ｓ２４０の処理に移行する。制御部１５０は、Ｓ２１０において第１原稿データに対してマスキング処理を施すことが指示されたと判断すると（Ｓ２１０のＹ）、マスキング領域が選択されるまで待機する（Ｓ２２０のＮ）。なお、Ｓ２２０の処理内容は、図７に示すとおりである。
【００７５】
制御部１５０は、マスキング領域の選択が完了したと判断すると（Ｓ２２０のＹ）、その選択された領域に対してマスキング処理を施す（Ｓ２３０）。そして、制御部１５０は、第１原稿データまたは第２原稿データの送信先の情報処理装置が選択されるまで待機する（Ｓ２４０のＮ）。制御部１５０は、当該情報処理装置の選択が完了したと判断すると（Ｓ２４０のＹ）、Ｓ８００の処理に移行する。
【００７６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７７】
１００−画像形成装置
１２３−スキャナ部
１３０−タッチパネル部
１５４−マスキング処理部
１５５−管理権限付与部
１５６−送信先選択部
１５７−送信部
２００Ａ−情報処理装置
２００Ｂ−情報処理装置
２００Ｃ−情報処理装置
【図１】
0005383532.tif 000002
【図２】
0005383532.tif 000003
【図３】
0005383532.tif 000004
【図４】
0005383532.tif 000005
【図５】
0005383532.tif 000006
【図６】
0005383532.tif 000007
【図７】
0005383532.tif 000008
【図８】
0005383532.tif 000009
【図１２】
0005383532.tif 000010
【図９】
0005383532.tif 000011
【図１０】
0005383532.tif 000012
【図１１】
0005383532.tif 000013